(57)【要約】      （修正有）【課題】保育者の介添えがなくても、乳幼児に座り姿勢を取らせておくことができる乳幼児用座具を提供する。【解決手段】床面上に足を前方に投げ出して座る乳幼児の腰裏および背中に当接される背当て部１０と、背当て部の左右に当該背当て部に対して折畳み可能で、且つ、乳幼児の胴を左右から包持可能に構成され包持状態で先端部同士が互いに重畳される左右の包持部２０，２１と、から構成される座具本体を備え、座具本体Ａには、互いに係合可能な係合手段によって構成され、係合状態で左右の包持部２０，２１を包持状態に保持する包持状態保持手段３０と、乳幼児の転倒を防止する腰当て部と、が設けられている。【選択図】図１
0003167114.tif 000002
【実用新案登録請求の範囲】
【請求項１】
床面上に足を前方に投げ出して座る乳幼児の腰裏および背中に当接される背当て部と、
前記背当て部の左右に当該背当て部に対して折畳み可能に連設され、乳幼児の胴を左右から包持可能に構成され包持状態で先端部同士が互いに重畳される左右の包持部と、から構成される座具本体を備え、
前記座具本体には、
前記左右の包持部に取り付けられた互いに係合可能な係合手段によって構成され、係合状態で当該左右の包持部を包持状態に保持する包持状態保持手段と、
前記背当て部に取り付けられ乳幼児の転倒を防止する腰当て部と、が設けられていることを特徴とする乳幼児用座具。
【請求項２】
前記座具本体には、さらに、乳幼児の股に当てられる股ベルトと、前記股ベルトに係合可能に構成され係合状態で当該股ベルトを股当て状態に保持可能な股当て状態保持手段と、が設けられていることを特徴とする請求項１に記載の乳幼児用座具。
【請求項３】
前記背当て部と乳幼児の後頭部との間に介装され乳幼児の後頭部に当てられるヘッドレストを備えることを特徴とする請求項１または２に記載の乳幼児用座具。
【請求項４】
前記ヘッドレストは前記座具本体から離脱可能で離脱状態で乳幼児の枕として利用可能となっていることを特徴とする請求項３に記載の乳幼児用座具。
【請求項５】
前記座具本体は、楕円状を呈し乳幼児が仰臥可能な広さの１枚のマットから構成され、当該マットの長軸方向に沿った折り目で当該マットを折り畳むことによって、当該長軸方向の中央部分が前記背当て部となり、当該長軸方向の両端部が前記左右の包持部となるように構成され、展開状態で乳幼児の敷寝具として利用可能となっていることを特徴とする請求項１から４いずれか一項に記載の乳幼児用座具。
【請求項６】
前記腰当て部は前記座具本体から離脱可能で離脱状態で乳幼児の足蹴りとして利用可能となっていることを特徴とする請求項１から５いずれか一項に記載の乳幼児用座具。
【考案の詳細な説明】
【技術分野】
【０００１】
本考案は乳幼児用座具に関する。
【背景技術】
【０００２】
従来、楕円型の袋状側地の中に充填物を詰めたクッションの長軸両端部にそれぞれが係合する掛け止め具を設け、長軸を中心とした両側二辺の弧に沿った周縁に、それぞれが係合可能な二本の係合部材を縫着し、長軸に沿ってクッションおよび側地を折り曲げて二本の係合部材をそれぞれ係合し、側地で覆われた楕円形クッションを舟形とし、さらに、長軸両端部の掛け止め具を掛けとめることにより、楕円形クッションを変形ドーナッツ型とする抱き枕が知られている（例えば、特許文献１参照）。
【先行技術文献】
【特許文献】
【０００３】
【特許文献１】実用新案登録第３１３９７９１号公報
【考案の概要】
【考案が解決しようとする課題】
【０００４】
この抱き枕は、通常の抱き枕として使用する他、乳幼児の授乳、就寝時や夜泣き時、乳幼児を抱いて寝かしつける時に抱き枕を保育者が胴部に装着して乳幼児を支える台として使用し、また、抱き枕周縁に縫着され係合されている係合部材を解除して楕円形に開いてパッドとして、乳幼児のオムツ替えクッションなどとしても使用可能である。
しかし、この抱き枕は、楕円形クッションを変形ドーナッツ型とした場合にも、乳幼児を支える台としてしか利用できず、保育者の介添えが無い限り、乳幼児に座り姿勢を取らせておくことは困難であった。
本考案は、かかる実情に鑑みなされたもので、保育者の介添えがなくても、乳幼児に座り姿勢を取らせておくことができる乳幼児用座具を提供することを目的としている。
【課題を解決するための手段】
【０００５】
請求項１の考案は、
床面上に足を前方に投げ出して座る乳幼児の腰裏および背中に当接される背当て部と、
前記背当て部の左右に当該背当て部に対して折畳み可能に連設され、乳幼児の胴を左右から包持可能に構成され包持状態で先端部同士が互いに重畳される左右の包持部と、から構成される座具本体を備え、
前記座具本体には、
前記左右の包持部に取り付けられた互いに係合可能な係合手段によって構成され、係合状態で当該左右の包持部を包持状態に保持する包持状態保持手段と、
前記背当て部に取り付けられ乳幼児の転倒を防止する腰当て部と、が設けられていることを特徴とする乳幼児用座具である。
【０００６】
請求項２の考案は、請求項１に記載の乳幼児用座具であって、
前記座具本体には、さらに、乳幼児の股に当てられる股ベルトと、前記股ベルトに係合可能に構成され係合状態で当該股ベルトを股当て状態に保持可能な股当て状態保持手段と、が設けられていることを特徴とする。
【０００７】
請求項３の考案は、請求項１または２に記載の乳幼児用座具であって、
前記背当て部と乳幼児の後頭部との間に介装され乳幼児の後頭部に当てられるヘッドレストを備えることを特徴とする。
【０００８】
請求項４の考案は、請求項３に記載の乳幼児用座具であって、
前記ヘッドレストは前記座具本体から離脱可能で離脱状態で乳幼児の枕として利用可能となっていることを特徴とする。
【０００９】
請求項５の考案は、請求項１から４いずれか一項に記載の乳幼児用座具であって、
前記座具本体は、楕円状を呈し乳幼児が仰臥可能な広さの１枚のマットから構成され、当該マットの長軸方向に沿った折り目で当該マットを折り畳むことによって、当該長軸方向の中央部分が前記背当て部となり、当該長軸方向の両端部が前記左右の包持部となるように構成され、展開状態で乳幼児の敷寝具として利用可能となっていることを特徴とする。
【００１０】
請求項６の考案は、請求項１から５いずれか一項に記載の乳幼児用座具であって、
前記腰当て部は前記座具本体から離脱可能で離脱状態で乳幼児の足蹴りとして利用可能となっていることを特徴とする。
【考案の効果】
【００１１】
本考案によれば、足を前方に投げ出して座る乳幼児が座具本体によって包み込まれ、腰当て部によって乳幼児の転倒が防止されるので、保育者の介添えがなくても、乳幼児に座り姿勢を取らせておくことができる。
また、左右の包持部が背当て部に対して折畳み可能に構成されているので、収納も容易である。
【図面の簡単な説明】
【００１２】
【図１】実施形態の乳幼児用座具を座具として使用した場合の外観図である。
【図２】乳幼児用座具を敷寝具として使用した場合の外観図である。
【図３】乳幼児用座具の座具本体を展開した場合の平面図である。
【図４】乳幼児用座具の座具本体を展開した場合の底面図である。
【図５】乳幼児用座具の腰当て部の形状を示す図であり、（Ａ）はその平面図、（Ｂ）はその側面図、（Ｃ）は正面図である。
【図６】乳幼児用座具の乳幼児への装着方法を示す図である。
【図７】乳幼児用座具の収容方法を示す図である。
【考案を実施するための形態】
【００１３】
以下、本考案の実施の形態を添付図面を参照して説明する。
図１は、実施形態の乳幼児用座具を座具として使用した場合の外観図、図２は、乳幼児用座具を敷寝具として使用した場合の外観図、図３は、乳幼児用座具の座具本体を展開した場合の平面図である。
この乳幼児用座具１は、背当て部１０、左右の包持部２０、２１、包持状態保持手段３０と、腰当て部４０、股ベルト５０、股当て状態保持手段６０およびヘッドレスト７０を備えている。このうち背当て部１０および左右の包持部２０，２１は座具本体Ａを構成している。
【００１４】
まず、座具本体Ａについて説明する。
座具本体Ａは、ほぼ楕円状の１枚のマット２を、その長軸に沿った折り目Ｄで折り畳むことによって構成されている。この場合のマット２は、面ファスナＦのループテープとして機能するトリコットで形成されており、内部に、形状が異なる下敷２ａ，２ｂが介装されている。
この座具本体Ａは、背当て部１０および左右の包持部２０，２１を備えている。
背当て部１０は、足を前方に投げ出した乳幼児の腰裏および背中に当てられる。この背当て部１０の両側には、左右の包持部２０，２１が背当て部１０に対して折畳み可能に連設されている。この折畳みの場合の折れ目は下敷２ａと下敷２ｂとの間となる。
この左右の包持部２０，２１は、乳幼児の腰裏および背中に背当て部１０が当接された状態で、乳幼児の胴を左右から包持可能となっている。この左右の包持部２０，２１は、乳幼児の胴を包持した状態では、先端部が互いに重畳される大きさを有している。
この座具本体Ａは、図１に示すように、背当て部１０および左右の包持部２０，２１を床面に対して起立した状態で座具として利用される。
また、座具本体Ａは、図２に示すように、展開し床面に敷設した状態では、乳幼児が仰臥できる広さを有しており、敷寝具として利用可能となっている。
【００１５】
包持状態保持手段３０は、左右の包持部２０，２１で乳幼児の胴を包持した際にその包持状態を保持するためのものである。この包持状態保持手段３０は、互いに係合可能な２つの係合手段３１，３２によって構成されている。
一方の係合手段３１は、左側の包持部２０の縁に基端が結合され先端にリング３１ａが付設されたベルト３１ｂによって構成され、他方の係合手段３２は、右側の包持部２１の中間部外面に基端が結合され面ファスナＦが付設されたベルト３２ａによって構成されている。
ベルト３２ａにおける面ファスナはフックテープおよびループテープからなっている。このフックテープおよびループテープの一方はベルト３２ａの先端部に設けられ、他方はベルト３２ａの中間部に設けられている。
この包持状態保持手段３０は、ベルト３２ａの先端部をベルト３１ｂのリング３１ａに挿通して折り返し、ベルト３２ａのフックテープとループテープとを互いに係合させることによって、左右の包持部２０，２１を包持状態に保持する。
【００１６】
腰当て部４０は、乳幼児の転倒を防止するためのものである。この腰当て部４０の内部には、スポンジ等の弾性材が詰め込まれるとともに、腰当て面側に補強用のプラスチック板が収納されている。
この腰当て部４０は次のような形状を有している。
すなわち、この腰当て部４０は、図５（Ａ）に示すように、平面視で４辺形を呈している。具体的には、この腰当て部４０は、平面視で、前辺および両側辺が直線状の辺、後辺が後方に膨らむような弧状の辺となっている。
また、腰当て部４０は、図５（Ｂ）に示すように、側面視で台形を呈している。具体的には、この腰当て部４０は、側面視で、下辺と上辺とが互いに平行な直線状の辺、前辺が下辺および上辺に対して直角である直線状の辺、後辺が後方に向けて下り勾配を持つ直線状の辺となっている。
さらに、腰当て部４０は、図５（Ｃ）に示すように、正面視で矩形を呈している。具体的には、この腰当て部４０は、側面視で、下辺と上辺とが互いに平行な直線状の辺、両側の辺が互いに平行な直線状の辺となっている。
【００１７】
そして、この腰当て部４０の前面および後面には面ファスナＦの一方（フックテープ）が設けられている。この腰当て部４０の前面および後面のフックテープは、乳幼児用座具１を座具として利用する場合、面ファスナＦのループテープとして機能する座具本体Ａに係合される。
また、腰当て部４０の下面には、面ファスナＦの一方（フックテープまたはループテープ）が設けられ、この面ファスナＦの一方は、乳幼児用座具１を座具として利用する場合、後述の股ベルト５０における面ファスナＦの他方（ループテープまたはフックテープ）に係合される。
【００１８】
股ベルト５０は先端に腹当て部５０ａを備えている。この股ベルト５０は、乳幼児の腰裏および背中に背当て部１０が当てられた状態で、乳幼児の股に当てられる。この股ベルト５０の基端はマット２の短軸方向の一端に結合されている。
また、股ベルト５０の基端部には、上述のように、腰当て部４０の下面のフックテープまたはループテープ（面ファスナＦの一方）と係合可能なループテープまたはフックテープ（面ファスナＦの他方）が設けられている。
【００１９】
股当て状態保持手段６０は２つの係合手段６１，６２によって構成されている。
一方の係合手段６１は、腹当て部５０ａにおける面ファスナＦの一方（フックテープまたはループテープ）、および、左側の包持部２０に基端が結合され先端部に面ファスナＦの他方（ループテープまたはフックテープ）が設けられた腰ベルト６１ａから構成されている。また、他方の係合手段６２は、腹当て部５０ａに設けられた面ファスナＦの一方（フックテープまたはループテープ）、および、右側の包持部２１に基端が結合され先端部に面ファスナＦの他方（ループテープまたはフックテープ）が設けられた腰ベルト６２ａから構成されている。
そして、この股当て状態保持手段６０は、乳幼児の股に股ベルト５０を当てるとともに乳幼児の腹に腹当て部５０ａを当てた状態で、腹当て部５０ａにおける面ファスナＦの一方と腰ベルト６１ａ，６２ａにおける面ファスナＦの他方とを係合させることによって、股ベルト５０を股当て状態に保持する。
【００２０】
ヘッドレスト７０は、乳幼児の後頭部に当てられて頭が後方に倒れるのを防止するためのものである。このヘッドレスト７０は、平板状のもので、乳幼児の後頭部の中央が当てられる薄手部分と、その薄手部分を取り囲み乳幼児の後頭部の周辺に当てられる厚手部分とから構成されている。厚手部分には詰め物が入れられている。このヘッドレスト７０の背面には面ファスナＦを構成するフックテープが設けられている。
そして、このヘッドレスト７０は、乳幼児の腰裏および背中に背当て部１０が当てられた状態で、乳幼児の後頭部と背当て部１０との間に介装される。そして、ヘッドレスト７０におけるフックテープは、乳幼児用座具１を座具として利用する場合、面ファスナＦのループテープとして機能する座具本体Ａに係合される。
なお、このヘッドレスト７０は、乳幼児用座具１を敷寝具として利用する場合には枕として利用される。
【００２１】
次に、この乳幼児用座具１を座具として使用する場合の乳幼児への装着方法を説明する。
図６（Ａ）は乳幼児用座具１を敷寝具として使用する場合の斜視図である。この状態では、図２に示すように、乳幼児が仰臥することが可能である。
【００２２】
この状態にあるマット２の上から腰当て部４０とヘッドレスト７０を取り除き、マット２の下から股ベルト５０を引き出す（図６（Ｂ））。次に、図６（Ｃ）に示すように、マット２を裏返すとともに、マット２の手前側に腰当て部４０を載せる。次に、図６（Ｄ）に示すようにマット２の奥側を手前側に折り返す。その際、面ファスナＦによって腰当て部４０とマット２とを係合させる。次に、図６（Ｅ）に示すように、腰当て部４０およびマット２を起立させるとともに、乳幼児の背中に背当て部１０を当てる。その際、面ファスナＦによって股ベルト５０と腰当て部４０とを係合させる。次に、図６（Ｆ）に示すように、腹当て部５０ａを乳幼児の腹に当て、面ファスナＦによって腹当て部５０ａに腰ベルト６１ａ，６２ａを係合させる。次に、左右の包持部２０，２１を乳幼児の胴に巻き付ける。そして、ベルト３２ａの先端をベルト３１ｂのリング３１ａに挿入して折り返し、ベルト３２ａのフックテープとループテープを係合させることによって、左右の包持部２０，２１の包持可能を保持する。
最後に、ヘッドレスト７０を乳幼児の後頭部と背当て部１０との間に介装する。勿論、このヘッドレスト７０は、これより前に介装しておいてもよい。
以上のようにして、乳幼児用座具１は乳幼児に装着される。
【００２３】
続いて、この乳幼児用座具１の収納方法について説明する。
図６（Ｃ）および図６（Ｄ）と同様に、裏返したマット２の手前側に腰当て部４０を載せるとともに、マット２の奥側を手前側に折り返す（図７（Ａ））。その際、面ファスナＦによって腰当て部４０とマット２とを係合させる。次に、図７（Ｂ）に示すように、面ファスナＦによって股ベルト５０と腰当て部４０とを係合させる。次に、図７（Ｃ）に示すように、ヘッドレスト７０を腹当て部５０ａの上に載せる。次に、図７（Ｄ）に示すように、左右の包持部２０，２１を背当て部１０に対して折り畳み、ベルト３２ａの先端をベルト３１ｂのリング３１ａに挿入して折り返し、ベルト３２ａのフックテープとループテープを係合させる。そして、この状態で幼児用座具１を紙袋等に収納する。
【００２４】
この乳幼児用座具１によれば次のような効果が得られる。
すなわち、乳幼児が包持状態保持手段３０および股ベルト５０によってマット２と一体化されるので、乳幼児はマット２から離脱する虞がない。また、乳幼児の腰裏は腰当て部４０によって支持されるで、乳幼児の後方への転倒が防止される。その結果、保育者の介添えがなくても、乳幼児に座り姿勢を取らせておくことができる。
また、左右の包持部２０，２１が背当て部１０に対して折畳み可能に構成されているので、収納も容易である。
さらに、乳幼児の頭はヘッドレスト７０によって支持されるので、安定して乳幼児を支持することができる。
【００２５】
以上、本考案の実施形態について説明したが、本考案は、かかる実施形態に限定されるものではなく、その要旨を逸脱しない範囲で、種々変形が可能であることは言うまでもない。
例えば、上記実施形態の乳幼児用座具１では、座具本体Ａを面ファスナＦのループテープとして機能するトリコットで形成したが、ループテープを別途設けることとすれば、座具本体Ａの生地はトリコットに限定されない。
【符号の説明】
【００２６】
１    乳幼児用座具
２    マット
１０    背当て部
２０    左側の包持部
２１    右側の包持部
３０    包持状態保持手段
４０    腰当て部
５０    股当て部
６０    股当て状態保持手段
７０    ヘッドレスト
【図１】
0003167114.tif 000003
【図２】
0003167114.tif 000004
【図３】
0003167114.tif 000005
【図４】
0003167114.tif 000006
【図５】
0003167114.tif 000007
【図６】
0003167114.tif 000008
【図７】
0003167114.tif 000009